(57)【特許請求の範囲】
【請求項１】
シンク機器側ホットプラグライン、シンク機器側データ通信ライン及びシンク機器側電源電圧ラインを有するシンク機器からホットプラグ信号が入力されると共に、ソース機器側ホットプラグライン、ソース機器側データ通信ライン及びソース機器側電源電圧ラインを有するソース機器にホットプラグ信号を出力するホットプラグ信号入出力装置であって、
前記ソース機器側ホットプラグライン及び前記シンク機器側ホットプラグラインと接続可能なホットプラグラインと、
前記ソース機器側データ通信ライン及び前記シンク機器側データ通信ラインと接続可能なデータ通信ラインと、
前記データ通信ラインと接続され、前記ソース機器側電源電圧ライン及び前記シンク機器側電源電圧ラインと接続可能な電源電圧ラインと、
前記電源電圧ラインを介して前記シンク機器側電源電圧ラインに電源電圧を供給する電源供給部と、
前記ホットプラグラインが前記ソース機器側ホットプラグラインと導通され、前記データ通信ラインが前記ソース機器側データ通信ラインと導通され、前記電源電圧ラインが前記ソース機器側電源電圧ラインと導通されていない場合に、前記ソース機器側電源電圧ラインから前記電源電圧ラインに電圧が供給されておらず、前記ソース機器側データ通信ラインから前記データ通信ラインに電圧が供給されていることを検知し、前記電源供給部から前記シンク機器側電源電圧ラインに電源電圧が供給されることを阻止し、
前記ホットプラグラインが前記ソース機器側ホットプラグラインと導通され、前記データ通信ラインが前記ソース機器側データ通信ラインと導通され、前記電源電圧ラインが前記ソース機器側電源電圧ラインと導通されている場合、前記ソース機器側電源電圧ラインから前記電源電圧ラインに電圧が供給されていることを検知し、前記電源供給部から前記シンク機器側電源電圧ラインに電源電圧が供給されることを許可する出力制御手段とを備え、
前記電源電圧ラインが第１抵抗を介して前記データ通信ラインと接続され、
前記出力制御手段が、第１電極が前記電源供給部に接続され前記電源供給部を制御するスイッチ素子と、前記スイッチ素子の第２電極に接続された第２抵抗とを有し、
前記ソース機器側電源電圧ラインから前記電源電圧ラインに電圧が供給されておらず、前記ソース機器側データ通信ラインから前記データ通信ラインに電圧が供給されている場合に、前記データ通信ラインに供給された電圧が前記第１抵抗及び前記第２抵抗によって分圧された電圧が前記第２電極に供給され、前記スイッチ素子がオフ状態になることにより、前記電源供給部から前記シンク機器側電源電圧ラインに電源電圧が供給されることを阻止し、
前記ソース機器側電源電圧ラインから前記電源電圧ラインに電圧が供給されている場合に、前記電源電圧ラインに供給された電圧が前記第２電極に供給され、前記スイッチ素子がオン状態になることにより、前記電源供給部から前記シンク機器側電源電圧ラインに電源電圧が供給されることを許可する、ホットプラグ信号入出力装置。
【請求項２】
前記ホットプラグライン、前記データ通信ライン及び前記電源電圧ラインをそれぞれ複数備え、
前記出力制御手段が、複数の前記電源電圧ライン毎に、前記スイッチ素子と前記第２抵抗とを有し、
複数の前記ホットプラグライン、前記データ通信ライン及び前記電源電圧ラインの中から１つの前記ホットプラグライン、前記データ通信ライン及び前記電源電圧ラインを選択する選択手段と、
前記選択手段によって選択された前記電源電圧ラインに接続されている前記スイッチ素子のみの制御電極に前記スイッチ素子をオン状態に制御可能な制御信号を供給する制御手段とをさらに備える、請求項１に記載のホットプラグ信号入出力装置。
【請求項３】
シンク機器側ホットプラグライン、シンク機器側データ通信ライン及びシンク機器側電源電圧ラインを有するシンク機器からホットプラグ信号が入力されると共に、ソース機器側ホットプラグライン、ソース機器側データ通信ライン及びソース機器側電源電圧ラインを有するソース機器にホットプラグ信号を出力するホットプラグ信号入出力装置であって、
前記ソース機器側ホットプラグライン及び前記シンク機器側ホットプラグラインと接続可能なホットプラグラインと、
前記ソース機器側データ通信ライン及び前記シンク機器側データ通信ラインと接続可能なデータ通信ラインと、
前記データ通信ラインと接続され、前記ソース機器側電源電圧ライン及び前記シンク機器側電源電圧ラインと接続可能な電源電圧ラインと、
前記電源電圧ラインを介して前記シンク機器側電源電圧ラインに電源電圧を供給する電源供給部と、
前記ホットプラグラインが前記ソース機器側ホットプラグラインと導通され、前記データ通信ラインが前記ソース機器側データ通信ラインと導通され、前記電源電圧ラインが前記ソース機器側電源電圧ラインと導通されていない場合に、前記ソース機器側電源電圧ラインから前記電源電圧ラインに電圧が供給されておらず、前記ソース機器側データ通信ラインから前記データ通信ラインに電圧が供給されていることを検知し、前記電源供給部から前記シンク機器側電源電圧ラインに電源電圧が供給されることを阻止し、
前記ホットプラグラインが前記ソース機器側ホットプラグラインと導通され、前記データ通信ラインが前記ソース機器側データ通信ラインと導通され、前記電源電圧ラインが前記ソース機器側電源電圧ラインと導通されている場合、前記ソース機器側電源電圧ラインから前記電源電圧ラインに電圧が供給されていることを検知し、前記電源供給部から前記シンク機器側電源電圧ラインに電源電圧が供給されることを許可する出力制御手段とを備え、
前記電源電圧ラインが第１抵抗を介して前記データ通信ラインと接続され、
前記出力制御手段が、第１電極が前記電源供給部に接続され前記電源供給部を制御するスイッチ素子と、前記スイッチ素子の制御電極と前記電源電圧ラインとに接続された第２抵抗とを有し、
前記ソース機器側電源電圧ラインから前記電源電圧ラインに電圧が供給されておらず、前記ソース機器側データ通信ラインから前記データ通信ラインに電圧が供給されている場合に、前記データ通信ラインに供給された電圧が前記第１抵抗及び前記第２抵抗によって分圧された電圧が前記制御電極に供給され、前記スイッチ素子がオフ状態になることにより、前記電源供給部から前記シンク機器側電源電圧ラインに電源電圧が供給されることを阻止し、
前記ソース機器側電源電圧ラインから前記電源電圧ラインに電圧が供給されている場合に、前記電源電圧ラインに供給された電圧が前記制御電極に供給され、前記スイッチ素子がオン状態になることにより、前記電源供給部から前記シンク機器側電源電圧ラインに電源電圧が供給されることを許可する、ホットプラグ信号入出力装置。
【発明の詳細な説明】
【技術分野】
【０００１】
本発明は、シンク機器からホットプラグ信号が入力されると共に、ソース機器にホットプラグ信号を出力するホットプラグ信号入出力装置に関する。
【背景技術】
【０００２】
近年、映像データ及び音声データ等のコンテンツデータ（以下、ＨＤＭＩデータという。）を供給するソース機器と、ソース機器から供給されたＨＤＭＩデータを受信するシンク機器やリピータ機器等のコンテンツ受信装置とで構成されるＡＶシステムが普及している。また、複数のソース機器から供給されるＨＤＭＩデータの中から１つのＨＤＭＩデータを選択して受信し、シンク機器に供給するＨＤＭＩスイッチャも存在する。
【０００３】
ソース機器は、例えば、ＤＶＤプレーヤ、ブルーレイディスクプレーヤ、ＨＤＤＶＤ（High Definition DVD）プレーヤ等である。また、シンク機器は、例えば、ＬＣＤ（Liquid Crystal Display）、ＰＤＰ（Plasma Display Panel）、プロジェクタ等である。リピータ機器又はＨＤＭＩスイッチャは、例えば、ＡＶアンプや、ＡＶレシーバ等である。これらの機器は、ＨＤＭＩ規格に準拠しており、ＨＤＭＩケーブルを介して相互に接続される。
【０００４】
図７は、従来のＡＶアンプ（ＨＤＭＩスイッチャ）５０を説明するブロック図である。ＡＶアンプ５０は、ＨＤＭＩスイッチ１１と、５Ｖ電源部１２と、コネクタ１３、１４とを備えている。コネクタ１３にはＨＤＭＩケーブルを介して、例えばＤＶＤプレーヤ２０が接続される。コネクタ１４にはＨＤＭＩケーブルを介して、例えばディスプレイ装置３０が接続される。
【０００５】
ＡＶアンプ５０は、ＨＤＭＩのラインとして、主に、ホットプラグライン１５ａ，１５ｃ、ＤＤＣライン１６ａ，１６ｃ、および５Ｖ電源ライン１７ａ，１７ｃを含む。ホットプラグライン１５ａは、ＡＶアンプ５０がＤＶＤプレーヤ２０にＨＤＭＩケーブルを介して接続されていることを通知するためのホットプラグ信号をＤＶＤプレーヤ２０に出力するラインである。すなわち、ＤＶＤプレーヤ２０は、ＡＶアンプ５０から供給されるホットプラグ信号がローレベルであれば、ＡＶアンプ５０がアクティブ（ＨＤＭＩデータを受信して処理できる状態）でない、又は、ＡＶアンプ５０が接続されていないと判断し、ホットプラグ信号がハイレベルであれば、ＡＶアンプ５０が接続されていると判断する（例えば、下記特許文献１）。
【０００６】
ＤＤＣライン１６ａ，１６ｂは、ＡＶアンプ５０（及びディスプレイ装置３０）に関する情報（ＥＤＩＤ、認証情報等）をＤＶＤプレーヤ２０が取得し、認証するためのラインである。５Ｖ電源ライン１７ａ，１７ｂは、ＤＤＣライン１６ａ，１６ｂに接続されており、５Ｖ電源電圧を供給する。
【０００７】
図３は、ＤＶＤプレーヤ２０を示すブロック図である。ＤＶＤプレーヤ２０は、ＨＤＭＩ送信部２１と、制御部２２と、再生部２３と、コネクタ２４とを有する。また、ＤＶＤプレーヤ２０は、ホットプラグライン２５、ＤＤＣライン２６及び５Ｖ電源ライン２７を有する。コネクタ２４にはＨＤＭＩケーブルを介して、例えばＡＶアンプ１０が接続される。
【０００８】
図４は、ディスプレイ装置３０を示すブロック図である。ディスプレイ装置３０は、ＨＤＭＩ受信部３１と、制御部３２と、コネクタ３３とを有する。また、ディスプレイ装置３０は、ホットプラグライン３５、ＤＤＣライン３６及び５Ｖ電源ライン３７を有する。コネクタ３３にはＨＤＭＩケーブルを介して、例えばＡＶアンプ５０が接続される。
【０００９】
図３，図４及び図７を参照して、各装置がＨＤＭＩケーブルを介して接続された際に入出力されるホットプラグ信号について説明する。ＡＶアンプ５０にＤＶＤプレーヤ２０がＨＤＭＩケーブルを介して接続されると、ＤＶＤプレーヤ２０の５Ｖ電源ライン２７からＡＶアンプ５０の５Ｖ電源ライン１７ａに５Ｖ電源電圧が供給され、ＨＤＭＩスイッチ１１に５Ｖ電源電圧が供給される。これにより、ＨＤＭＩスイッチ１１が５Ｖ電源部１２に電圧出力を許可する制御信号を供給するので、５Ｖ電源部１２は５Ｖ電源ライン１７ｃに５Ｖ電源電圧を供給する。
【００１０】
ＡＶアンプ５０にディスプレイ装置３０がＨＤＭＩケーブルを介して接続されると、ＡＶアンプ５０の５Ｖ電源ライン１７ｃからディスプレイ装置３０の５Ｖ電源ライン３７に５Ｖ電源電圧が供給される。５Ｖ電源ライン３７に供給された電圧は、ホットプラグライン３５を介して、ＡＶアンプ５０のホットプラグライン１５ｃにハイレベルのホットプラグ信号として供給される。ホットプラグライン１５ｃに供給されたハイレベルのホットプラグ信号は、ＨＤＭＩスイッチ１１及びホットプラグライン１５ａを介して、ＤＶＤプレーヤ２０のホットプラグライン２５に出力される。ＤＶＤプレーヤ２０のＨＤＭＩ送信部２１は、ハイレベルのホットプラグ信号を検出して、ＡＶアンプ５０（及びディスプレイ装置３０）が接続されたことを認識することができる。
【００１１】
しかし、ＡＶアンプ５０には以下の問題が存在する。ＨＤＭＩケーブルのコネクタの各端子の中で、５Ｖ電源ラインの端子が他の端子より短くなっているので、ＡＶアンプ５０のコネクタ１３にＨＤＭＩケーブルを介してＤＶＤプレーヤ２０のコネクタ２４が接続されるとき、ＨＤＭＩケーブルとコネクタ１３又は２４との接続が不十分である（もしくはユーザによって接続操作中である）とき、各ラインの中で５Ｖ電源ラインだけが導通（電気的に接続）していない状態が起こり得る。すなわち、ＡＶアンプ５０のホットプラグライン１５ａがＤＶＤプレーヤ２０のホットプラグライン２５と導通され、ＡＶアンプ５０のＤＤＣライン１６ａがＤＶＤプレーヤ２０のＤＤＣライン２６と導通され、ＡＶアンプ５０の５Ｖ電源ライン１７ａがＤＶＤプレーヤ２０の５Ｖ電源ライン２７と導通されていない状態が起こり得る。
【００１２】
この状態は、ＡＶアンプ５０とＤＶＤプレーヤ２０とが接続されていない状態であるので、ＡＶアンプ５０のホットプラグライン１５ａからＤＶＤプレーヤ２０のホットプラグライン２５にハイレベルのホットプラグ信号が出力されてはならない。しかし、ＤＶＤプレーヤ２０の５Ｖ電源ライン２７からＡＶアンプ５０の５Ｖ電源ライン１７ａには５Ｖ電源電圧が供給されないが、ＤＶＤプレーヤ２０の５Ｖ電源電圧が、抵抗Ｒ２１、ＤＤＣライン２６を介して、ＡＶアンプ５０のＤＤＣライン１６ａに供給される。ＡＶアンプ５０のＤＤＣライン１６ａに供給された５Ｖ電源電圧は、抵抗Ｒ１を介してＨＤＭＩスイッチ１１に供給される。その結果、ＨＤＭＩスイッチ１１が５Ｖ電源部１２に制御信号を供給するので、５Ｖ電源部１２は５Ｖ電源ライン１７ｃに５Ｖ電源電圧を供給し、ディスプレイ装置３０の５Ｖ電源ライン３７に５Ｖ電源電圧が供給される。従って、５Ｖ電源ライン３７に供給された電圧は、ホットプラグライン３５を介して、ＡＶアンプ５０のホットプラグライン１５ｃにハイレベルのホットプラグ信号として供給され、ＨＤＭＩスイッチ１１及びホットプラグライン１５ａを介して、ＤＶＤプレーヤ２０のホットプラグライン２５に出力される。
【００１３】
その結果、ＤＶＤプレーヤ２０は、ＡＶアンプ５０が接続されていないにも関わらず、ハイレベルのホットプラグ信号が供給されることにより、ＡＶアンプ５０が接続されたと誤検出する。ハイレベルのホットプラグ信号を誤検出すると、ＤＶＤプレーヤ２０のＨＤＭＩ送信部２１は、ＡＶアンプ５０又はディスプレイ装置３０から認証情報を読み出して認証しようとするが認証に失敗するなどの誤動作が生じる。さらに、その後に正常なハイレベルのホップラグ信号が、ＡＶアンプ５０からＤＶＤプレーヤ２０のホットプラグライン３５に供給されても、ＤＶＤプレーヤ２０はそれに対応した動作を実行できない。なぜなら、ホットプラグ信号のローレベルからハイレベルへの反転が検出された際に、ＤＶＤプレーヤが各処理を実行するのであるが、ＤＤＣライン１６ａ経由で供給された電圧に基づいてハイレベルのホットプラグ信号を誤検出した場合に、その後、ホットプラグ信号がローレベルに反転することを検出できないからである。
【００１４】
【特許文献１】特許第３９５２０７７号    ［先行出願１］特願２００７−３１７６５８号
【発明の開示】
【発明が解決しようとする課題】
【００１５】
本発明は上記従来の課題を解決するためになされたものであり、その目的は、ホットプラグラインがソース機器側ホットプラグラインと導通され、ＤＤＣラインがソース機器側ＤＤＣラインと導通され、５Ｖ電源ラインがソース機器側５Ｖ電源ラインと導通されていない場合に、ソース機器側ホットプラグラインにホットプラグ信号が供給されることを防止するホットプラグ信号出力装置を提供することである。
【課題を解決するための手段】
【００１６】
本発明の好ましい実施形態によるホットプラグ信号入出力装置は、シンク機器側ホットプラグライン、シンク機器側データ通信ライン及びシンク機器側電源電圧ラインを有するシンク機器からホットプラグ信号が入力されると共に、ソース機器側ホットプラグライン、ソース機器側データ通信ライン及びソース機器側電源電圧ラインを有するソース機器にホットプラグ信号を出力する。前記ホットプラグ信号入出力装置は、前記ソース機器側ホットプラグライン及び前記シンク機器側ホットプラグラインと接続可能なホットプラグラインと、前記ソース機器側データ通信ライン及び前記シンク機器側データ通信ラインと接続可能なデータ通信ラインと、前記データ通信ラインと接続され、前記ソース機器側電源電圧ライン及び前記シンク機器側電源電圧ラインと接続可能な電源電圧ラインと、前記電源電圧ラインを介して前記シンク機器側電源電圧ラインに電源電圧を供給する電源供給部と、出力制御手段とを備える。前記出力制御手段は、前記ホットプラグラインが前記ソース機器側ホットプラグラインと導通され、前記データ通信ラインが前記ソース機器側データ通信ラインと導通され、前記電源電圧ラインが前記ソース機器側電源電圧ラインと導通されていない場合に、前記ソース機器側電源電圧ラインから前記電源電圧ラインに電圧が供給されておらず、前記ソース機器側データ通信ラインから前記データ通信ラインに電圧が供給されていることを検知し、前記電源供給部から前記シンク機器側電源電圧ラインに電源電圧が供給されることを阻止する。前記出力制御手段は、前記ホットプラグラインが前記ソース機器側ホットプラグラインと導通され、前記データ通信ラインが前記ソース機器側データ通信ラインと導通され、前記電源電圧ラインが前記ソース機器側電源電圧ラインと導通されている場合、前記ソース機器側電源電圧ラインから前記電源電圧ラインに電圧が供給されていることを検知し、前記電源供給部から前記シンク機器側電源電圧ラインに電源電圧が供給されることを許可する。
【００１７】
ホットプラグラインがソース機器側ホットプラグラインと導通され、データ通信ラインがソース機器側データ通信ラインと導通され、電源電圧ラインがソース機器側電源電圧ラインと導通されていない場合に、ソース機器側データ通信ラインからデータ通信ラインに供給される電圧に基づいて電源供給部が電源電圧ラインを介してシンク機器側電源電圧ラインに電源電圧を供給することが防止される。従って、シンク機器がシンク機器側電源電圧ラインに供給された電源電圧に基づいてホットプラグ信号をホットプラグラインに出力することが防止され、ホットプラグ信号入出力装置がシンク機器から供給されたホットプラグ信号をソース機器側ホットプラグラインに出力することが防止される。その結果、ソース機器がホットプラグ信号を誤って検出することが防止される。
【００１８】
好ましい実施形態においては、前記電源電圧ラインが第１抵抗を介して前記データ通信ラインと接続され、前記出力制御手段が、第１電極が前記電源供給部に接続され前記電源供給部を制御するスイッチ素子と、前記スイッチ素子の第２電極に接続された第２抵抗とを有し、前記ソース機器側電源電圧ラインから前記電源電圧ラインに電圧が供給されておらず、前記ソース機器側データ通信ラインから前記データ通信ラインに電圧が供給されている場合に、前記データ通信ラインに供給された電圧が前記第１抵抗及び前記第２抵抗によって分圧された電圧が前記第２電極に供給され、前記スイッチ素子がオフ状態になることにより、前記電源供給部から前記シンク機器側電源電圧ラインに電源電圧が供給されることを阻止し、前記ソース機器側電源電圧ラインから前記電源電圧ラインに電圧が供給されている場合に、前記電源電圧ラインに供給された電圧が前記第２電極に供給され、前記スイッチ素子がオン状態になることにより、前記電源供給部から前記シンク機器側電源電圧ラインに電源電圧が供給されることを許可する。
【００１９】
ホットプラグラインがソース機器側ホットプラグラインと導通され、データ通信ラインがソース機器側データ通信ラインと導通され、電源電圧ラインがソース機器側電源電圧ラインと導通されていない場合に、ソース機器側データ通信ラインからデータ通信ラインに供給される電圧は第１抵抗及び第２抵抗によって分圧されてスイッチ素子の第２電極に供給され、スイッチ素子がオフ状態になる。スイッチ素子がオフ状態になることにより、電源供給部をシンク機器側電源電圧ラインに電源電圧が供給されないように制御することができる。
【００２０】
好ましい実施形態においては、前記ホットプラグライン、前記データ通信ライン及び前記電源電圧ラインをそれぞれ複数備え、前記出力制御手段が、複数の前記電源電圧ライン毎に、前記スイッチ素子と前記第２抵抗とを有し、複数の前記ホットプラグライン、前記データ通信ライン及び前記電源電圧ラインの中から１つの前記ホットプラグライン、前記データ通信ライン及び前記電源電圧ラインを選択する選択手段と、前記選択手段によって選択された前記電源電圧ラインに接続されている前記スイッチ素子のみの制御電極に前記スイッチ素子をオン状態に制御可能な制御信号を供給する制御手段とをさらに備える。
【００２１】
選択手段によって選択されていない電源電圧ラインに接続されているスイッチ素子の制御電極には制御信号が供給されないので、ソース機器側電源電圧ラインと電源電圧ラインとが導通していても、当該スイッチ素子はオン状態にならない。従って、選択手段によって選択されていないホットプラグライン、データ通信ライン及び電源電圧ラインに接続されているソース機器に対してホットプラグ信号が出力されることを防止することができる。
【００２２】
好ましい実施形態においては、前記電源電圧ラインが第１抵抗を介して前記データ通信ラインと接続され、前記出力制御手段が、第１電極が前記電源供給部に接続され前記電源供給部を制御するスイッチ素子と、前記スイッチ素子の制御電極と前記電源電圧ラインとに接続された第２抵抗とを有し、前記ソース機器側電源電圧ラインから前記電源電圧ラインに電圧が供給されておらず、前記ソース機器側データ通信ラインから前記データ通信ラインに電圧が供給されている場合に、前記データ通信ラインに供給された電圧が前記第１抵抗及び前記第２抵抗によって分圧された電圧が前記制御電極に供給され、前記スイッチ素子がオフ状態になることにより、前記電源供給部から前記シンク機器側電源電圧ラインに電源電圧が供給されることを阻止し、前記ソース機器側電源電圧ラインから前記電源電圧ラインに電圧が供給されている場合に、前記電源電圧ラインに供給された電圧が前記制御電極に供給され、前記スイッチ素子がオン状態になることにより、前記電源供給部から前記シンク機器側電源電圧ラインに電源電圧が供給されることを許可する。
【００２３】
ホットプラグラインがソース機器側ホットプラグラインと導通され、データ通信ラインがソース機器側データ通信ラインと導通され、電源電圧ラインがソース機器側電源電圧ラインと導通されていない場合に、ソース機器側データ通信ラインからデータ通信ラインに供給される電圧は第１抵抗及び第２抵抗によって分圧されてスイッチ素子の制御電極に供給され、スイッチ素子がオフ状態になる。スイッチ素子がオフ状態になることにより、電源供給部をシンク機器側電源電圧ラインに電源電圧が供給されないように制御することができる。
【発明の効果】
【００２４】
ホットプラグラインがソース機器側ホットプラグラインと導通され、データ通信ラインがソース機器側データ通信ラインと導通され、電源電圧ラインがソース機器側電源電圧ラインと導通されていない場合に、ソース機器側データ通信ラインからデータ通信ラインに供給される電圧に基づいて電源供給部が電源電圧ラインを介してシンク機器側電源電圧ラインに電源電圧を供給することが防止される。従って、シンク機器がシンク機器側電源電圧ラインに供給された電源電圧に基づいてホットプラグ信号をホットプラグラインに出力することが防止され、ホットプラグ信号入出力装置がシンク機器から供給されたホットプラグ信号をソース機器側ホットプラグラインに出力することが防止される。その結果、ソース機器がホットプラグ信号を誤って検出することが防止される。
【発明を実施するための最良の形態】
【００２５】
以下、本発明の好ましい実施形態によるホットプラグ信号入出力装置としての機能を備えるコンテンツ送受信装置について説明する。コンテンツ送受信装置は、ＤＶＤプレーヤ、ブルーレイディスクプレーヤ等のソース機器からコンテンツデータ（ＨＤＭＩ規格に準拠した映像データ及び／又は音声データであり、以下、ＨＤＭＩデータという。）を受信して、ディスプレイ装置、プロジェクタ等のシンク機器にＨＤＭＩデータを送信する機器であり、ＡＶアンプ、ＡＶレシーバ等である。また、コンテンツ送受信装置は、ＨＤＭＩスイッチャ又はパススルー機器等である。以下、コンテンツ送受信装置がＡＶアンプ１０である場合を例に説明する。
【００２６】
［全体構成］
図１は、ＡＶシステムの全体構成を示すブロック図である。ＡＶシステムは、ＡＶアンプ（ＨＤＭＩスイッチャ）１０と、ＤＶＤプレーヤ２０Ａ，２０Ｂと、ディスプレイ装置３０とを備え、これらはＨＤＭＩケーブルを介して接続されている。ＤＶＤプレーヤ２０ＡはＡＶアンプ１０のコネクタ（入力端子）１３ａに接続され、ＤＶＤプレーヤ２０ＢはＡＶアンプ１０のコネクタ（入力端子）１３ｂに接続され、ディスプレイ装置３０はＡＶアンプ１０のコネクタ（出力端子）１４に接続されている。ＨＤＭＩスイッチ１１は、ＤＶＤプレーヤ２０Ａ及び２０Ｂから供給されるＨＤＭＩデータの中から１つのＨＤＭＩデータを選択して、ディスプレイ装置３０に供給する。
【００２７】
［ＡＶアンプ（ＨＤＭＩスイッチャ）１０の構成］
図２は、ＡＶアンプ１０を説明するブロック図である。ＡＶアンプ１０は、ＨＤＭＩ（High-Definition Multimedia Interface）規格に準拠した機器である。ＡＶアンプ１０は、ＨＤＭＩスイッチ１１と、５Ｖ電源部１２と、複数のコネクタ１３（例えばコネクタ１３ａ，１３ｂ）と、コネクタ１４と、制御部１８と、出力制御手段１９とを備えている。
【００２８】
ＡＶアンプ１０は、ＨＤＭＩのラインとして、ホットプラグライン１５ａ〜１５ｃ、ＤＤＣライン（データ通信ライン）１６ａ〜１６ｃ、ＴＭＤＳライン（図示せず）、及び、５Ｖ電源ライン（電源電圧ライン）１７ａ〜１７ｃを有する。ホットプラグライン１５ａ，１５ｂは、ＨＤＭＩケーブルのホットプラグラインを介して、ＤＶＤプレーヤ２０のホットプラグライン２５に接続可能である。ホットプラグライン１５ｃは、ＨＤＭＩケーブルのホットプラグラインを介して、ディスプレイ装置３０のホットプラグライン３５に接続可能である。ＤＤＣライン１６ａ，１６ｂは、ＨＤＭＩケーブルのＤＤＣラインを介して、ＤＶＤプレーヤ２０のＤＤＣライン３５に接続可能である。ＤＤＣライン１６ｃは、ＨＤＭＩケーブルのＤＤＣラインを介して、ディスプレイ装置３０のＤＤＣライン３６に接続可能である。５Ｖ電源ライン１７ａ，１７ｂは、ＨＤＭＩケーブルの５Ｖ電源ラインを介して、ＤＶＤプレーヤ２０の５Ｖ電源ライン２７に接続可能である。５Ｖ電源ライン１７ｃは、ＨＤＭＩケーブルの５Ｖ電源ラインを介して、ディスプレイ装置３０の５Ｖ電源ライン３７に接続可能である。
【００２９】
ホットプラグライン１５ａ，１５ｂは、ＡＶアンプ１０がＤＶＤプレーヤ２０に接続されていることを、ＡＶアンプ１０からＤＶＤプレーヤ２０に通知するためのホットプラグ信号を出力するラインである。ＤＶＤプレーヤ２０は、ＡＶアンプ１０からのホットプラグ信号がローレベルであれば、ＡＶアンプ１０がアクティブ（ＨＤＭＩデータを受信して処理できる状態）でない、又は、ＡＶアンプ１０が接続されていないと判断し、ホットプラグ信号がハイレベルであれば、ＡＶアンプ１０が接続されていると判断する。ホットプラグライン１５ｃは、ディスプレイ装置３０がＡＶアンプ１０に接続されていることを、ディスプレイ装置３０からＡＶアンプ１０に通知するためのホットプラグ信号を受信するラインである。
【００３０】
ＤＤＣ（Display Data
Channel）ライン１６ａ，１６ｂは、ＡＶアンプ１０及び／又はディスプレイ装置３０に関する情報（認証情報、ＥＤＩＤ（Extended Display Identification Data））をＤＶＤプレーヤ２０がＡＶアンプ１０から取得するためのラインである。ＤＤＣライン１６ｃは、ディスプレイ装置３０に関する情報（認証情報、ＥＤＩＤ）をＡＶアンプ１０がディスプレイ装置３０から取得するためのラインである。なお、ＤＤＣラインは通常は、データラインとクロックラインとが存在するが、説明の簡単化のために１つのラインのみを記載する。
【００３１】
ＴＭＤＳ（Transition
Minimized Differential Signaling）ラインは、ＤＶＤプレーヤ２０からＡＶアンプ１０に、又、ＡＶアンプ１０からディスプレイ装置３０にＨＤＭＩデータを送信するためのラインである。
【００３２】
５Ｖ電源ライン１７ａ，１７ｂは、ＤＶＤプレーヤ２０の５Ｖ電源ライン２７から５Ｖ電源電圧が供給される。５Ｖ電源ライン１７ａ，１７ｂは、それぞれ、抵抗Ｒ１ａ，Ｒ１ｂを介してＤＤＣライン１６ａ，１６ｂに接続されており、これらに５Ｖ電源電圧を供給する。５Ｖ電源ライン１７ｃは、５Ｖ電源部１２から５Ｖ電源電圧が供給され、ディスプレイ装置３０の５Ｖ電源ライン３７に５Ｖ電源電圧を供給する。
【００３３】
ＨＤＭＩスイッチ１１は、コネクタ１３ａ，１３ｂに接続されているＤＶＤプレーヤ２０Ａ，２０Ｂから送信されるＨＤＭＩデータを受信し、受信したＨＤＭＩデータの中から１つのＨＤＭＩデータを選択して、ディスプレイ装置３０に送信する。言い換えると、ＨＤＭＩスイッチ１１は、複数のコネクタ１３、ホットプラグライン１５、ＤＣライン１６、５Ｖ電源ライン１７の中から、１つのコネクタ１３、ホットプラグライン１５、ＤＣライン１６、５Ｖ電源ライン１７を選択する。どのＨＤＭＩデータを選択するかは、ユーザ操作に基づく制御部１８からの指令によって切り換えられる。
【００３４】
５Ｖ電源部１２は、図示しない商用交流電源が供給されており、５Ｖ電源ライン１７ｃを介してディスプレイ装置３０の５Ｖ電源ライン３７に５Ｖ電源電圧を供給する。５Ｖ電源部１２は、制御信号入力端子１２ａを有しており、制御信号入力部１２ａに後述する出力制御手段１９（トランジスタＱ１ａ，Ｑ１ｂ）からハイレベルの制御信号が入力されたときに５Ｖ電源ライン１７に５Ｖ電源電圧を出力し、制御信号入力部１２ａにハイレベルの制御信号が入力されないときに５Ｖ電源ライン１７に５Ｖ電源電圧を出力しない。すなわち、５Ｖ電源部１２が５Ｖ電源電圧を出力するか否かは、出力制御手段１９によって制御される。
【００３５】
なお、５Ｖ電源部１２からディスプレイ装置３０の５Ｖ電源ライン３７に５Ｖ電源電圧が供給されると、ディスプレイ装置３０のホットプラグライン３５からホットプラグライン１５ｃにハイレベルのホットプラグ信号が供給され、５Ｖ電源部１２からディスプレイ装置３０の５Ｖ電源ライン３７に５Ｖ電源電圧が供給されないと、ディスプレイ装置３０のホットプラグライン３５からホットプラグライン１５ｃにハイレベルのホットプラグ信号が供給されない。
【００３６】
制御部１８は、ＡＶアンプ１０の各部を制御するものであり、マイコンやＣＰＵ等である。制御部１８及び出力制御手段１９の詳細については、後述する。
【００３７】
［ＤＶＤプレーヤ２０の構成］
図３は、ＤＶＤプレーヤ２０を説明するブロック図である。ＤＶＤプレーヤ２０は、ＨＤＭＩ規格に準拠した機器であり、ソース機器と呼ばれている。ＤＶＤプレーヤ２０は、ＨＤＭＩ送信部２１と、制御部２２と、再生部２３と、コネクタ２４とを備えている。コネクタ２４にはＨＤＭＩケーブルを介して、例えば、ＡＶアンプ１０が接続される。
【００３８】
ＤＶＤプレーヤ２０は、ホットプラグライン（ソース機器側ホットプラグライン）２５と、ＤＤＣライン（ソース機器側データ通信ライン）２６と、５Ｖ電源ライン（ソース機器側電源電圧ライン）２７とを備えている。５Ｖ電源ライン２７は、抵抗Ｒ２１を介してＤＤＣライン２６に接続されており、ホットプラグライン２５は、抵抗Ｒ２２を介して接地電位に接続されている。５Ｖ電源ライン２７には図示しない電源回路から５Ｖ電源電圧が供給されており、５Ｖ電源電圧は抵抗Ｒ２１を介してＤＤＣライン２６に供給される。
【００３９】
再生部２３は、ＤＶＤディスク（以下、単にディスクという。）に記録されている映像データおよび音声データをディスクから読み出して、ＨＤＭＩ送信部２１に供給する。ＨＤＭＩ送信部２１は、再生部２３から供給された映像データ及び音声データをＨＤＭＩデータに変換し、コネクタ２４を介してＡＶアンプ１０に送信する。
【００４０】
［ディスプレイ装置３０の構成］
図４は、ディスプレイ装置３０を説明するブロック図である。ディスプレイ装置３０は、ＨＤＭＩ規格に準拠した機器であり、シンク機器と呼ばれている。ディスプレイ装置３０は、ＨＤＭＩ受信部３１と、制御部３２と、コネクタ３３と、表示部３４と、音声処理部３８とを備えている。コネクタ３３にはＨＤＭＩケーブルを介して、例えば、ＡＶアンプ１０が接続される。
【００４１】
ディスプレイ装置３０は、ホットプラグライン（シンク機器側ホットプラグライン）３５と、ＤＤＣライン（シンク機器側データ通信ライン）３６と、５Ｖ電源ライン（シンク機器側電源電圧ライン）３７とを備えている。５Ｖ電源ライン３７は、抵抗Ｒ３１を介してＤＤＣライン３６に接続されている。５Ｖ電源ライン３７にはＡＶアンプ１０の５Ｖ電源ライン１７ｃから５Ｖ電源電圧が供給され、５Ｖ電源電圧は抵抗Ｒ３１を介してＤＤＣライン３６に供給される。また、５Ｖ電源ライン３７に供給された５Ｖ電源電圧は、ホットプラグライン３５を介してＡＶアンプ１０にハイレベルのホットプラグ信号として出力される。
【００４２】
ＨＤＭＩ受信部３１は、ＡＶアンプ１０から送信されたＨＤＭＩデータを受信する。ＨＤＭＩ受信部３１は、受信したＨＤＭＩデータから元の映像データ（ＨＤＭＩ変換前の映像データ）を生成して、表示部３４に供給する。ＨＤＭＩ受信部１１は、受信したＨＤＭＩデータから元の音声データを生成して、音声処理部３８に供給する。
【００４３】
表示部３４は、供給された映像データを表示するものであり、ＬＣＤやＰＤＰ等である。音声処理部３８は、供給された音声データを、デコード処理、Ｄ／Ａ変換処理、増幅処理し、図示しないスピーカーに供給する。
【００４４】
［出力制御手段１９の構成］
以下、図２を参照して、出力制御手段１９について詳細に説明する。なお、ここではコネクタ１３ａに対応する部分についてのみ説明するが、コネクタ１３ｂに対応する部分についても同様である。
【００４５】
出力制御手段１９は、ＡＶアンプ１０のホットプラグライン１５ａがＤＶＤプレーヤ２０のホットプラグライン２５と導通（電気的に接続）し、ＡＶアンプ１０のＤＤＣライン１６ａがＤＶＤプレーヤ２０のＤＤＣライン２６と導通し、ＡＶアンプ１０の５Ｖ電源ライン１７ａがＤＶＤプレーヤ２０の５Ｖ電源ライン２７に導通していない状態において、ＤＶＤプレーヤ２０の５Ｖ電源ライン２７からＡＶアンプ１０の５Ｖ電源ライン１７ａに電圧が供給されておらず、ＤＶＤプレーヤ２０のＤＤＣライン２６からＡＶアンプ１０のＤＤＣライン１６ａに電圧が供給されていることを検出し、５Ｖ電源部１２からの５Ｖ電源電圧が５Ｖ電源ライン１７ｃを介してディスプレイ装置３０の５Ｖ電源ライン３７に供給されることを阻止するものである。すなわち、出力制御手段１９は、５Ｖ電源部１２を制御することによって、ハイレベルのホットプラグ信号がディスプレイ装置３０のホットプラグライン３７から入力され、ＤＶＤプレーヤ１０のホットプラグライン２７に出力されることを禁止する。
【００４６】
また、出力制御手段１９は、ＡＶアンプ１０のホットプラグライン１５ａがＤＶＤプレーヤ２０のホットプラグライン２５と導通し、ＡＶアンプ１０のＤＤＣライン１６ａがＤＶＤプレーヤ２０のＤＤＣライン２６と導通し、ＡＶアンプ１０の５Ｖ電源ライン１７ａがＤＶＤプレーヤ２０の５Ｖ電源ライン２７に導通している状態において、ＤＶＤプレーヤ２０の５Ｖ電源ライン２７からＡＶアンプ１０の５Ｖ電源ライン１７ａに電圧が供給されていることを検出し、５Ｖ電源部１２からの５Ｖ電源電圧が５Ｖ電源ライン１７ｃを介してディスプレイ装置３０の５Ｖ電源ライン３７に供給されることを許可する。すなわち、出力制御手段１９は、５Ｖ電源部１２を制御することによって、ハイレベルのホットプラグ信号がディスプレイ装置３０のホットプラグライン３７から入力され、ＤＶＤプレーヤ１０のホットプラグライン２７に出力されることを許可する。
【００４７】
出力制御手段１９は、スイッチ素子（例えばトランジスタ）Ｑ１ａと、抵抗Ｒ２ａ，Ｒ３ａとを有する。トランジスタＱ１ａは、５Ｖ電源部１２の制御信号入力端子１２ａにハイレベルの制御信号を供給するか否かを切り換えるものである。つまり、ＤＶＤプレーヤ２０の５Ｖ電源ライン２７からＡＶアンプ１０の５Ｖ電源ライン１７ａに５Ｖ電源電圧が供給されておらず、ＤＶＤプレーヤ２０のＤＤＣライン２６からＡＶアンプ１０のＤＤＣライン１６ａに５Ｖ電源電圧が供給されている際に、トランジスタＱ１ａがオフ状態になることにより、５Ｖ電源部１２から５Ｖ電源電圧が出力されないように制御する。一方、ＤＶＤプレーヤ２０の５Ｖ電源ライン２７からＡＶアンプ１０の５Ｖ電源ライン１７ａに５Ｖ電源電圧が供給されている際に、トランジスタＱ１ａがオン状態になることにより、５Ｖ電源部１２から５Ｖ電源電圧が出力されるように制御する。
【００４８】
トランジスタＱ１ａのコレクタは、５Ｖ電源ライン１７ａに接続され、抵抗Ｒ１ａを介してＤＤＣライン１６ａに接続され、かつ、抵抗Ｒ２ａを介して接地電位に接続されている。トランジスタＱ１ａのエミッタは、５Ｖ電源部１２の制御信号入力端子１２ａに接続され、かつ、抵抗Ｒ３ａを介して接地電位に接続されている。トランジスタＱ１ａのベースには、制御部１８からのハイレベルの制御信号が入力される。すなわち、制御部１８は、図示しない操作部を介してユーザ操作によってＨＤＭＩスイッチ１１が受信するＨＤＭＩデータが入力されるコネクタ１３ａ又は１３ｂが選択されたとき、選択されたコネクタ１３に接続されているトランジスタＱ１ａ又はＱ１ｂのベースにハイレベル（例えば、約３．３Ｖ）の（トランジスタをオン状態に制御可能にする）制御信号を出力する。
【００４９】
抵抗Ｒ２ａは、ＤＶＤプレーヤ２０の５Ｖ電源ライン２７から供給された５Ｖ電源電圧については、そのままトランジスタＱ１ａのコレクタに供給し、ＤＶＤプレーヤ２０のＤＤＣライン２６から供給された５Ｖ電源電圧については、抵抗Ｒ１ａと共に５Ｖ電源電圧を分圧して、５Ｖ×Ｒ２ａ／（Ｒ１ａ＋Ｒ２ａ）をトランジスタＱ１ａのコレクタに供給する。例えば、抵抗Ｒ１ａが４７ｋΩ、抵抗Ｒ２ａが４．７ｋΩである場合、ＤＶＤプレーヤ２０のＤＤＣライン２６から供給された５Ｖ電源電圧のうち、約０．４５ＶがトランジスタＱ１ａのコレクタに供給される。
【００５０】
従って、ベースに制御部１８からハイレベルの制御信号が供給され、コレクタに５Ｖ電源ラインからの５Ｖ電源電圧が供給された場合に、トランジスタＱ１ａがオン状態になる。一方、ベースに制御部１８からハイレベルの制御信号が供給されない場合、又は、コレクタにＤＤＣラインからの５Ｖ電源電圧が抵抗Ｒ１ａ及びＲ２ａによって分圧された電圧が供給された場合に、トランジスタＱ１ａがオフ状態になる。
【００５１】
抵抗Ｒ３ａは、トランジスタＱ１ａがオン状態になったときに、コレクタ−エミッタ間に電流を流し、５Ｖ電源部１２の制御信号入力端子に供給する制御信号（電圧）を発生させる抵抗である。
【００５２】
［ＡＶアンプ１０の動作］
以上の構成を有するＡＶアンプ１０の動作を、コネクタ１３ａに着目して説明するが、コネクタ１３ｂについても同様である。
【００５３】
（１）コネクタ１３ａがＨＤＭＩスイッチ１１において選択され、ＡＶアンプ１０のホットプラグライン１５ａがＤＶＤプレーヤ２０のホットプラグライン２５と導通し、ＡＶアンプ１０のＤＤＣライン１６ａがＤＶＤプレーヤ２０のＤＤＣライン２６と導通し、ＡＶアンプ１０の５Ｖ電源ライン１７ａがＤＶＤプレーヤ２０の５Ｖ電源ライン２７と導通していない場合について。
【００５４】
ＡＶアンプ１０の５Ｖ電源ライン１７ａがＤＶＤプレーヤ２０の５Ｖ電源ライン２７と導通していないので、ＤＶＤプレーヤ２０の５Ｖ電源ライン２７からＡＶアンプ１０の５Ｖ電源ライン１７ａに５Ｖ電源電圧が供給されない。
【００５５】
一方、ＡＶアンプ１０のＤＤＣライン１６ａがＤＶＤプレーヤ２０のＤＤＣライン２６と導通しているので、ＤＶＤプレーヤ２０のＤＤＣライン２６からＡＶアンプ１０のＤＤＣライン１６ａに５Ｖ電源電圧が供給される。５電源電圧は、抵抗Ｒ１ａ及びＲ２ａによって分圧されるので、分圧された電圧（例えば０．４５Ｖ）がトランジスタＱ１ａのコレクタに供給される。
【００５６】
コネクタ１３ａがＨＤＭＩスイッチ１１によって選択されているので、トランジスタＱ１ａのベースには制御部１８からハイレベルの制御信号（例えば３．３Ｖ）が供給される。以上の結果、コレクタに供給される電圧が０．４５Ｖと小さいことにより、トランジスタＱ１ａはオフ状態になるので、トランジスタＱ１ａのコレクタからエミッタに電流が流れずに、５Ｖ電源部１２の制御信号入力端子１２ａにはハイレベルの制御信号が入力されない。従って、５Ｖ電源部１２は、５Ｖ電源ライン１７ｃを介してディスプレイ装置３０の５Ｖ電源ライン３７に５Ｖ電源電圧を供給しない。従って、ホットプラグライン１５ｃにはディスプレイ装置３０のホットプラグライン３５からハイレベルのホットプラグ信号が入力されないので、ハイレベルのホットプラグ信号がホットプラグライン１５ａからＤＶＤプレーヤ２０のホットプラグライン２７に出力されることが阻止される。
【００５７】
（２）コネクタ１３ａがＨＤＭＩスイッチ１１で選択されておらず、ＡＶアンプ１０のホットプラグライン１５ａがＤＶＤプレーヤ２０のホットプラグライン２５と導通し、ＡＶアンプ１０のＤＤＣライン１６ａがＤＶＤプレーヤ２０のＤＤＣライン２６と導通し、ＡＶアンプ１０の５Ｖ電源ライン１７ａがＤＶＤプレーヤ２０の５Ｖ電源ライン２７と導通している場合について。
【００５８】
ＡＶアンプ１０の５Ｖ電源ライン１７ａがＤＶＤプレーヤ２０の５Ｖ電源ライン２７と導通しているので、ＤＶＤプレーヤ２０の５Ｖ電源ライン２７からＡＶアンプ１０の５Ｖ電源ライン１７ａに５Ｖ電源電圧が供給される。５Ｖ電源電圧は、抵抗Ｒ１ａ及びＲ２ａによって分圧されることなく、そのままトランジスタＱ１ａのコレクタに供給される。
【００５９】
コネクタ１３ａがＨＤＭＩスイッチ１１によって選択されていないので、トランジスタＱ１ａのベースには制御部１８からハイレベルの制御信号（例えば３．３Ｖ）が供給されない。以上の結果、ベース−エミッタ間電圧が導通開始電圧未満になり、トランジスタＱ１ａはオフ状態になるので、トランジスタ１ａのコレクタからエミッタに電流が流れずに、５Ｖ電源部１２の制御信号入力端子１２ａにはハイレベルの制御信号が入力されない。従って、５Ｖ電源部１２は、５Ｖ電源ライン１７ｃを介してディスプレイ装置３０の５Ｖ電源ライン３７に５Ｖ電源電圧を供給しない。従って、ホットプラグライン１５ｃにはディスプレイ装置３０のホットプラグライン３５からハイレベルのホットプラグ信号が入力されないので、ハイレベルのホットプラグ信号がホットプラグライン１５ａからＤＶＤプレーヤ２０のホットプラグライン２７に出力されることが阻止される。これにより、ＨＤＭＩスイッチ１１によって選択されていないコネクタ１３に接続されているＤＶＤプレーヤ２０にハイレベルのホットプラグ信号が出力されることはない。
【００６０】
（３）コネクタ１３ａがＨＤＭＩスイッチ１１で選択されておらず、ＡＶアンプ１０のホットプラグライン１５ａがＤＶＤプレーヤ２０のホットプラグライン２５と導通し、ＡＶアンプ１０のＤＤＣライン１６ａがＤＶＤプレーヤ２０のＤＤＣライン２６と導通し、ＡＶアンプ１０の５Ｖ電源ライン１７ａがＤＶＤプレーヤ２０の５Ｖ電源ライン２７と導通していない場合について。
【００６１】
ＡＶアンプ１０の５Ｖ電源ライン１７ａがＤＶＤプレーヤ２０の５Ｖ電源ライン２７と導通していないので、ＤＶＤプレーヤ２０の５Ｖ電源ライン２７からＡＶアンプ１０の５Ｖ電源ライン１７ａに５Ｖ電源電圧が供給されない。
【００６２】
一方、ＡＶアンプ１０のＤＤＣライン１６ａがＤＶＤプレーヤ２０のＤＤＣライン２６と導通しているので、ＤＶＤプレーヤ２０のＤＤＣライン２６からＡＶアンプ１０のＤＤＣライン１６ａに５Ｖ電源電圧が供給される。５電源電圧は、抵抗Ｒ１ａ及びＲ２ａによって分圧されるので、分圧された電圧（例えば０．４５Ｖ）がトランジスタＱ１ａのコレクタに供給される。
【００６３】
コネクタ１３ａがＨＤＭＩスイッチ１１によって選択されていないので、トランジスタＱ１ａのベースには制御部１８からハイレベルの制御信号（例えば３．３Ｖ）が供給されない。以上の結果、トランジスタＱ１ａはオフ状態になるので、トランジスタＱ１ａのコレクタからエミッタに電流が流れずに、５Ｖ電源部１２の制御信号入力端子１２ａにはハイレベルの制御信号が入力されない。従って、５Ｖ電源部１２は、５Ｖ電源ライン１７ｃを介してディスプレイ装置３０の５Ｖ電源ライン３７に５Ｖ電源電圧を供給しない。従って、ホットプラグライン１５ｃにはディスプレイ装置３０のホットプラグライン３５からハイレベルのホットプラグ信号が入力されないので、ハイレベルのホットプラグ信号がホットプラグライン１５ａからＤＶＤプレーヤ２０のホットプラグライン２７に出力されることが阻止される。
【００６４】
（４）コネクタ１３ａがＨＤＭＩスイッチ１１で選択され、ＡＶアンプ１０のホットプラグライン１５ａがＤＶＤプレーヤ２０のホットプラグライン２５と導通し、ＡＶアンプ１０のＤＤＣライン１６ａがＤＶＤプレーヤ２０のＤＤＣライン２６と導通し、ＡＶアンプ１０の５Ｖ電源ライン１７ａがＤＶＤプレーヤ２０の５Ｖ電源ライン２７と導通している場合について。
【００６５】
ＡＶアンプ１０の５Ｖ電源ライン１７ａがＤＶＤプレーヤ２０の５Ｖ電源ライン２７と導通しているので、ＤＶＤプレーヤ２０の５Ｖ電源ライン２７からＡＶアンプ１０の５Ｖ電源ライン１７ａに５Ｖ電源電圧が供給される。５Ｖ電源電圧は、抵抗Ｒ１ａ及びＲ２ａによって分圧されることなく、そのままトランジスタＱ１ａのコレクタに供給される。
【００６６】
コネクタ１３ａがＨＤＭＩスイッチ１１によって選択されているので、トランジスタＱ１ａのベースには制御部１８からハイレベルの制御信号（例えば３．３Ｖ）が供給される。以上の結果、コレクタに５Ｖ電源電圧が供給され、かつ、ベース−エミッタ間電圧が導通開始電圧以上になり、トランジスタＱ１ａはオン状態になるので、トランジスタＱ１ａのコレクタからエミッタに電流が流れ、５Ｖ電源部１２の制御信号入力端子１２ａにはハイレベルの制御信号が入力される。５Ｖ電源部１２は、５Ｖ電源ライン１７ｃを介してディスプレイ装置３０の５Ｖ電源ライン３７に５Ｖ電源電圧を供給する。
【００６７】
ディスプレイ装置３０において、５Ｖ電源ライン３７に供給された５Ｖ電源電圧は、ホットプラグライン３５を介してＡＶアンプ１０のホットプラグライン１５ｃにハイレベルのホットプラグ信号として出力される。ホットプラグライン１５ｃに入力されたハイレベルのホットプラグ信号は、ＨＤＭＩスイッチ１１及びホットプラグライン１５ａを介して、ＤＶＤプレーヤ２０のホットプラグライン２５に出力される。ＤＶＤプレーヤ２０のＨＤＭＩ送信部２１は、ホットプラグライン２５に入力されたハイレベルのホットプラグ信号を検出して、ＡＶアンプ１０及びディスプレイ装置３０が接続されたことを判別することができる。
【００６８】
以上のように、本例によると、５Ｖ電源ライン１７ａ及び２７が導通していない場合には、トランジスタＱ１ａがオフ状態になることにより、５Ｖ電源部１２から５Ｖ電源電圧がディスプレイ装置３０の５Ｖ電源ライン３７に出力されることが阻止されるので、ＤＶＤプレーヤ２０のホットプラグライン２５にハイレベルのホットプラグ信号が出力されることが阻止される。
【００６９】
［他の実施形態］
図５は、他の実施形態によるＡＶシステムの全体構成を示すブロック図である。ＡＶアンプ１０Ｂは、１つのコネクタ１３のみを有しており、ＨＤＭＩスイッチ１１はＤＶＤプレーヤ２０Ａから受信したＨＤＭＩデータをディスプレイ装置３０に送信する。すなわち、ＡＶアンプ１０Ｂはパススルー機器である。
【００７０】
図６は、ＡＶアンプ１０Ｂを示すブロック図である。出力制御手段１９ｂは、トランジスタＱ２と、抵抗５，Ｒ６とを有している。トランジスタＱ２のコレクタはＨＤＭＩスイッチ１１に接続されており、ＨＤＭＩスイッチ１１から５Ｖ電源部１２を制御するためのハイレベルの制御信号（電圧）が供給される。トランジスタＱ２のエミッタは、５Ｖ電源部１２の制御信号入力端子１２ａに接続され、かつ、抵抗Ｒ６を介して接地電位に接続されている。トランジスタＱ２のベースは、５Ｖ電源ライン１７ａに接続され、抵抗Ｒ１を介してＤＤＣライン１６ａに接続され、かつ、抵抗Ｒ５を介して接地電位に接続されている。
【００７１】
抵抗Ｒ５は、ＤＶＤプレーヤ２０の５Ｖ電源ライン２７から供給された５Ｖ電源電圧については、そのままトランジスタＱ２のベースに供給し、ＤＶＤプレーヤ２０のＤＤＣライン２６から供給された５Ｖ電源電圧については、抵抗Ｒ１と共に５Ｖ電源電圧を分圧して、５Ｖ×Ｒ５／（Ｒ１＋Ｒ５）をトランジスタＱ２のベースに供給する。例えば、抵抗Ｒ１が４７ｋΩ、抵抗Ｒ５が４．７ｋΩである場合、ＤＶＤプレーヤ２０のＤＤＣライン２６から供給された５Ｖ電源電圧のうち、約０．４５ＶがトランジスタＱ２のベースに供給される。
【００７２】
従って、ベースに５Ｖ電源ラインからの５Ｖ電圧が供給された場合に、ベース−エミッタ間電圧が導通開始電圧以上になり、トランジスタＱ２がオン状態になる。一方、ベースにＤＤＣラインからの５Ｖ電圧が抵抗Ｒ１及びＲ５によって分圧された電圧が供給された場合に、ベース−エミッタ間電圧が導通開始電圧未満になり、トランジスタＱ２がオフ状態になる。
【００７３】
［ＡＶアンプ１０Ｂの動作］
（１）ＡＶアンプ１０のホットプラグライン１５ａがＤＶＤプレーヤ２０のホットプラグライン２５と導通し、ＡＶアンプ１０のＤＤＣライン１６ａがＤＶＤプレーヤ２０のＤＤＣライン２６と導通し、ＡＶアンプ１０の５Ｖ電源ライン１７ａがＤＶＤプレーヤ２０の５Ｖ電源ライン２７と導通していない場合について。
【００７４】
ＡＶアンプ１０の５Ｖ電源ライン１７ａがＤＶＤプレーヤ２０の５Ｖ電源ライン２７と導通していないので、ＤＶＤプレーヤ２０の５Ｖ電源ライン２７からＡＶアンプ１０の５Ｖ電源ライン１７ａに５Ｖ電源電圧が供給されない。
【００７５】
一方、ＡＶアンプ１０のＤＤＣライン１６ａがＤＶＤプレーヤ２０のＤＤＣライン２６と導通しているので、ＤＶＤプレーヤ２０のＤＤＣライン２６からＡＶアンプ１０のＤＤＣライン１６ａに５Ｖ電源電圧が供給される。５電源電圧は、抵抗Ｒ１及びＲ５によって分圧されるので、分圧された電圧（例えば０．４５Ｖ）がトランジスタＱ２のベースに供給される。その結果、トランジスタＱ２はオフ状態になるので、トランジスタＱ２のコレクタからエミッタに電流が流れずに、５Ｖ電源部１２の制御信号入力端子１２ａにはハイレベルの制御信号が入力されない。従って、５Ｖ電源部１２は、５Ｖ電源ライン１７ｃを介してディスプレイ装置３０の５Ｖ電源ライン３７に５Ｖ電源電圧を供給しない。従って、ホットプラグライン１５ｃにはディスプレイ装置３０のホットプラグライン３５からハイレベルのホットプラグ信号が入力されないので、ハイレベルのホットプラグ信号がホットプラグライン１５ａからＤＶＤプレーヤ２０のホットプラグライン２７に出力されることが阻止される。
【００７６】
（２）ＡＶアンプ１０のホットプラグライン１５ａがＤＶＤプレーヤ２０のホットプラグライン２５と導通し、ＡＶアンプ１０のＤＤＣライン１６ａがＤＶＤプレーヤ２０のＤＤＣライン２６と導通し、ＡＶアンプ１０の５Ｖ電源ライン１７ａがＤＶＤプレーヤ２０の５Ｖ電源ライン２７と導通している場合について。
【００７７】
ＡＶアンプ１０の５Ｖ電源ライン１７ａがＤＶＤプレーヤ２０の５Ｖ電源ライン２７と導通しているので、ＤＶＤプレーヤ２０の５Ｖ電源ライン２７からＡＶアンプ１０の５Ｖ電源ライン１７ａに５Ｖ電源電圧が供給される。５Ｖ電源電圧は、抵抗Ｒ１及びＲ５によって分圧されることなく、そのままトランジスタＱ２のコレクタに供給される。
【００７８】
その結果、トランジスタＱ２はオン状態になるので、トランジスタＱ２のコレクタからエミッタに電流が流れ、５Ｖ電源部１２の制御信号入力端子１２ａにはハイレベルの制御信号が入力される。５Ｖ電源部１２は、５Ｖ電源ライン１７ｃを介してディスプレイ装置３０の５Ｖ電源ライン３７に５Ｖ電源電圧を供給する。
【００７９】
ディスプレイ装置３０において、５Ｖ電源ラインに供給された５Ｖ電源電圧は、ホットプラグライン３５を介してＡＶアンプ１０のホットプラグライン１５ｃにハイレベルのホットプラグ信号として出力される。ホットプラグライン１５ｃに入力されたハイレベルのホットプラグ信号は、ＨＤＭＩスイッチ１１及びホットプラグライン１５ａを介して、ＤＶＤプレーヤ２０のホットプラグライン２５に出力される。ＤＶＤプレーヤ２０のＨＤＭＩ送信部２１は、ホットプラグライン２５に入力されたハイレベルのホットプラグ信号を検出して、ＡＶアンプ１０及びディスプレイ装置３０が接続されたことを判別することができる。
【００８０】
以上のように、本例によると、５Ｖ電源ライン１７ａ及び２７が導通していない場合には、トランジスタＱ２がオフ状態になることにより、５Ｖ電源部１２から５Ｖ電源電圧がディスプレイ装置３０の５Ｖ電源ライン３７に出力されることが阻止されるので、ＤＶＤプレーヤ２０のホットプラグライン２５にハイレベルのホットプラグ信号が出力されることが阻止される。
【００８１】
以上、本発明の好ましい実施形態を説明したが、本発明はこれらの実施形態には限定されない。例えば、ディスプレイ装置３０のホットプラグライン３５からのホットプラグ信号出力構成は上記に限定されず、５Ｖ電源ライン３７に供給された５Ｖ電源電圧が一旦ＨＤＭＩ受信部３１に供給され、各処理が実行された後に、制御部３２からハイレベルのホットプラグ信号がホットプラグライン３５を介してＡＶアンプ１０のホットプラグライン１５ｃに出力するものでもよい。また、ＡＶアンプ１０のコネクタの数は上記のものに限定されず、例えば、コネクタ１３が３つ、コネクタ１４が２つでもよい。また、スイッチ素子は、トランジスタに限定されず、ＭＯＳＦＥＴ等でもよい。また、ＡＶアンプ１０は、ＨＤＭＩスイッチの他に、ＨＤＭＩ受信部やＨＤＭＩ送信部を備えていてもよい。この場合、ＨＤＭＩデータに含まれる音声データをＡＶアンプ１０で増幅して、スピーカーに出力することができる。また、ＡＶアンプ１０は、ＨＤＭＩケーブル以外に、光デジタルケーブル等を介して音声データをＤＶＤプレーヤ２０から受信してもよい。また、ＨＤＭＩ規格の機器に限定されず、ＨＤＭＩ規格と互換性のあるＤＶＩ規格等の任意の機器に適用できる。
【産業上の利用可能性】
【００８２】
本発明は、例えば、ＨＤＭＩ規格に準拠した、ＡＶアンプ等に好適に採用され得る。
【図面の簡単な説明】
【００８３】
【図１】本発明の好ましい実施形態によるＡＶシステムを示すブロック図である。
【図２】本発明の好ましい実施形態によるＡＶアンプ１０を示すブロック図である。
【図３】ＤＶＤプレーヤ２０を示すブロック図である。
【図４】ディスプレイ装置３０を示すブロック図である。
【図５】本発明の別の好ましい実施形態によるＡＶシステムを示すブロック図である。
【図６】本発明の別の好ましい実施形態によるＡＶアンプ１０Ｂを示すブロック図である。
【図７】従来のＡＶアンプ５０を示すブロック図である。
【符号の説明】
【００８４】
１０            ＡＶアンプ
１１            ＨＤＭＩスイッチ
１２            ５Ｖ電源部
１３            コネクタ
１４            コネクタ
１５ａ〜１５ｃ  ホットプラグライン
１６ａ〜１６ｃ  ＤＤＣライン
１７ａ〜１７ｃ  ５Ｖ電源ライン
１８            制御部
１９            出力制御手段
【要約】
【課題】  ５Ｖ電源ラインがソース機器側５Ｖ電源ラインと導通されていない場合に、ソース機器側ホットプラグラインにホットプラグ信号が供給されることを防止する。
【解決手段】  出力制御手段１９は、５Ｖ電源ライン１７ａがＤＶＤプレーヤ２０の５Ｖ電源ラインと導通されていない場合に、ＤＤＣライン２６からＤＤＣライン１６ａに供給された５Ｖ電源電圧が抵抗Ｒ１及びＲ２ａによって分圧された電圧が、トランジスタＱ１ａのコレクタに供給され、トランジスタＱ１ａがオフ状態になる。５Ｖ電源部１２に制御信号が入力されないので、５Ｖ電源部１２からディスプレイ装置３０の５Ｖ電源ライン３７に５Ｖ電源電圧が供給されることが阻止される。その結果、ＤＶＤプレーヤ２０にホットプラグ信号が出力されることが阻止される。
【選択図】図２【図１】
0004258569.tif 000002
【図２】
0004258569.tif 000003
【図３】
0004258569.tif 000004
【図４】
0004258569.tif 000005
【図５】
0004258569.tif 000006
【図６】
0004258569.tif 000007
【図７】
0004258569.tif 000008